【手続補正書】
【提出日】令和2年5月29日(2020.5.29)
【手続補正１】
【補正対象書類名】特許請求の範囲
【補正対象項目名】全文
【補正方法】変更
【補正の内容】
【特許請求の範囲】
【請求項１】
−  地面（２２；１２２）上を転動するための少なくとも一つの支承輪が具備されたシャーシ（２１；１２１；２２１）と、
−  ベビーカー（１０）のフレーム（１１）に可逆的に連結することを目的としシャーシによって担持されている装置（２３）と、を含むベビーカーアクセサリにおいて、
前記装置（２３）が、互いに平行であって、互いに反対側にそれぞれの面を有する、前記ベビーカーの前記フレーム（１１）の左後部部分（１１.１Ｇ）と右後部部分（１１.１Ｄ）にそれぞれ属する、前記ベビーカー（１０）の左垂直材（１６Ｇ）と右垂直材（１６Ｄ）の間に取付けるのに好適であり、前記面内にはそれぞれ第１の雌収納部（１８Ｇ）および第２の雌収納部（１８Ｄ）が削孔されており、
前記装置（２３）は、
−  前記装置が前記ベビーカーの左垂直材と右垂直材の間に取付けられたときに第１の雄要素が前記第１の雌収納部（１８Ｇ）内に相補的に収容されている連結位置と、前記第１の雄要素が前記第１の収納部の外部にある連結解除位置との間で、シャーシ（２１）との関係において移動可能である第１の雄要素（３２Ｇ）と、
−  前記装置が前記ベビーカーの左垂直材と右垂直材の間に取付けられたときに第２の雄要素が前記第２の雌収納部（１８Ｄ）内に相補的に収容されている連結位置と、前記第２の雄要素が前記第２の収納部の外部にある連結解除位置との間で、シャーシとの関係において移動可能である第２の雄要素（３２Ｄ）と、
−  前記第１および第２の雄要素を起動させるための機構であって、
・  ユーザの片手での応力付加によって、前記第１および第２の雄要素をそれらの連結位置から連結解除位置まで連動して駆動するため、および
・  応力がない場合には、前記第１および第２の雄要素をそれらの連結解除位置から連結位置まで自動的に戻すために好適である機構（４０）と、
を含むことを特徴とする、ベビーカーアクセサリ。
【請求項２】
前記機構（４０）が、前記第１（３２Ｇ）および第２（３２Ｄ）の雄要素の各々について、
−  前記対応する雄要素を手動式でその連結位置から連結解除位置まで駆動し、把持用隆起部（３６Ｇ、３６Ｄ）が具備されている駆動部材（３４Ｇ、３４Ｄ）であって、それぞれ前記第１および第２の雄要素と結び付けられている前記把持用隆起部が、前記第１および第２の雄要素を連動して駆動するために前記ユーザの同じ手の２本の指によってそれぞれ応力付加されるように構成されている、駆動部材と、
−  前記対応する駆動部材（３４Ｇ、３４Ｄ）とシャーシ（２１；１２１；２２１）の間に機械的に挿入され、前記対応する雄要素（３２Ｇ、３２Ｄ）をその連結解除位置から連結位置まで弾性的に戻す、戻しバネ（３８）と、
を含むこと、を特徴とする請求項１に記載のベビーカーアクセサリ。
【請求項３】
前記第１（３２Ｇ）および第２（３２Ｄ）の雄要素が、それらの連結位置と連結解除位置の間で同じ軸（Ｙ−Ｙ）に沿って並進運動できること、および前記第１および第２の雄要素が前記軸に沿って互いにより接近することにより、それらの連結位置から連結解除位置まで並進運動すること、を特徴とする請求項１または２に記載のベビーカーアクセサリ。
【請求項４】
前記第１（３２Ｇ）および第２（３２Ｄ）の雄要素が、それらの連結位置と連結解除位置の間で同じ軸（Ｙ−Ｙ）に沿って並進運動でき、および前記第１および第２の雄要素が前記軸に沿って互いにより接近することにより、それらの連結位置から連結解除位置まで並進運動し、それぞれ前記第１（３２Ｇ）および第２（３２Ｄ）の雄要素と結び付けられた前記駆動部材（３４Ｇ、３４Ｄ）が、前記軸（Ｘ−Ｘ）に沿って並進運動でき、前記第１および第２の雄要素をそれらの連結位置から連結解除位置まで連動して駆動するために手動式に応力を加えられた時点で、把持用隆起部（３６Ｇ、３６Ｄ）を前記軸に沿って互いに接近させることを特徴とする、請求項２に記載のベビーカーアクセサリ。
【請求項５】
前記装置（２３）がさらに、前記機構（４０）および前記第１（３２Ｇ）および第２（３２Ｄ）の雄要素の移動を支持し案内する支持体（３０）を含み、この支持体が永久的または取外し可能な形で前記シャーシ（２１；１２１；２２１）に固定的に連結されていること、を特徴とする、請求項１から４のいずれか１項に記載のベビーカーアクセサリ。
【請求項６】
前記装置（２３）がさらに、前記機構（４０）および前記第１（３２Ｇ）および第２（３２Ｄ）の雄要素の移動を支持し案内する支持体（３０）を含み、この支持体が永久的または取外し可能な形で前記シャーシ（２１；１２１；２２１）に固定的に連結されており、
前記支持体（３０）が、
−  第１の端部部分（４２．１Ｇ）であって、
・  その外部では前記第１の雄要素（３２Ｇ）が前記連結位置で軸方向に展開し、
・  その内部では前記第１の雄要素（３２Ｇ）が前記連結解除位置で軸方向に引込められ、
・  前記第１の雄要素と結び付けられた前記駆動部材（３４Ｇ）を内部に収容し、前記駆動部材と形状相補性により協働して、この駆動部材を前記軸（Ｙ−Ｙ）に沿って並進運動で案内し、
・  前記第１の雄要素と結び付けられた前記バネ（３８）を収納して、前記バネのための支承を形成する、第１の端部部分と、
−  第２の端部部分（４２.１Ｄ）であって、
・  前記第１の端部（４２.１Ｇ）と軸方向反対側にあり、
・  その外部では前記第２の雄要素（３２Ｄ）が前記連結位置で軸方向に展開し、
・  その内部では前記第２の雄要素が前記連結解除位置で軸方向に引込められ、
・  前記第２の雄要素と結び付けられた前記駆動部材（３４Ｄ）を内部に収容し、前記駆動部材と形状相補性により協働して、この駆動部材を前記軸（Ｙ−Ｙ）に沿って並進運動で案内し、
・  前記第２の雄要素と結び付けられた前記バネ（３８）を収納して、前記バネのための支承を形成する、第２の端部部分と、
−  前記第１（４２．１Ｇ）および第２（４２．１Ｄ）の端部部分を互いに連結し、前記把持用隆起部（３６Ｇ、３６Ｄ）に対する連動アクセス陥凹（４２．３）を形成する主部（４２．２）と、を含み、前記軸（Ｙ−Ｙ）に沿って延在するシース（４２）を含むことを特徴とする、請求項４に記載のベビーカーアクセサリ。
【請求項７】
−  前記地面（１２ＡＶ、１２ＡＲ）上を転動するための支承輪が具備され、左垂直材（１６Ｄ）を含む左後部部分（１１．１Ｇ）および前記左垂直材に平行な右垂直材（１６Ｄ）を含む右後部部分（１１．１Ｄ）を含むフレーム（１１）を含むベビーカー（１０）であって、第１の雌収納部（１８Ｇ）および第２の雌収納部（１８Ｄ）がそれぞれ、前記左垂直材の前記面内および前記右垂直材の前記面内に削孔されており、これらの面が互いに対面している、ベビーカー（１０）と、
−  連結位置にある前記第１（３２Ｇ）および第２（３２Ｄ）の雄要素がそれぞれ前記第１（１８Ｇ）および第２（１８Ｄ）の雌収納部内に収容されて、アクセサリが前記ベビーカーの前記左（１６Ｇ）および右（１６Ｄ）垂直材の間に取付けられた場合に、前記ベビーカー（１０）の前記フレーム（１１）に対して前記アクセサリを連結する、請求項１から６のいずれか１項に記載のベビーカーアクセサリ（２０；１２０；２２０）と、
を含む、輸送アセンブリ（１；１０１；２０１）。
【請求項８】
それぞれ左（１６Ｇ）および右（１６Ｄ）の前記垂直材には、それぞれに前記フレーム（１１）の同じ後輪列（１３）に連結するためのインサート（１７Ｇ、１７Ｄ）の内部に具備されていること、および前記第１（１８Ｇ）および第２（１８Ｄ）の雌収納部がそれぞれ、前記左垂直材（１６Ｇ）のインサート（１７Ｇ）内および前記右垂直材（１６Ｄ）のインサート（１７Ｄ）内で境界画定されていること、を特徴とする請求項７に記載の輸送アセンブリ。
【請求項９】
前記フレーム（１１）には、前記アクセサリ（２０；１２０；２２０）の前記装置（２３）が前記ベビーカー（１０）の前記左（１６Ｇ）および右（１６Ｄ）の垂直材の間に取付けられ前記第１および第２の雄要素がそれらの連結解除位置から連結位置まで進んだ場合に前記第１（３２Ｇ）および第２（３２Ｄ）の雄要素の軌道上に前記第１（１８Ｇ）および第２（１８Ｄ）の雌収納部を位置付けするように装置（２３）と形状相補性によって協働する前記アクセサリ（２０；１２０；２２０）の位置付け用表面（１９．１Ｇ）が具備されていること、を特徴とする請求項７または８に記載の輸送アセンブリ。
【請求項１０】
前記第１（１８Ｇ）および第２（１８Ｄ）の雌収納部内の前記連結位置にある前記第１（３２Ｇ）および第２（３２Ｄ）の雄要素が、前記アクセサリ（２０；１２０；２２０）の前記装置（２３）と前記ベビーカー（１０）の前記フレーム（１１）の間の枢動リンクを連動して形成すること、を特徴とする請求項７から９のいずれか１項に記載の輸送アセンブリ。
【請求項１１】
前記ベビーカー（１０）が、前記ベビーカーによって搬送すべき子供を収容するのに好適な収容用部材（１５）の下に設置され、フレーム（１１）に引掛けられた下部バスケット（１０．１）を組込んでいること、および前記アクセサリ（１２０；２２０）の前記シャーシ（１２１；２２１）が、前記装置（２３）により前記ベビーカーの前記フレームに連結された状態にとどまりながら、前記ベビーカーの前記フレームとの関係において前記枢動リンクの周囲を枢動することによって前記下部バスケットの内部に折畳まれるように構成されていること、を特徴とする請求項１０に記載の輸送アセンブリ。
【請求項１２】
前記アクセサリ（２０）が、プラットフォーム（２４）を含み、このプラットフォームは、前記シャーシ（２１）が前記装置（２３）により前記ベビーカー（１０）の前記フレーム（１１）に連結され前記シャーシの前記車輪（２２）が前記地面の上に載っている間、前記プラットフォーム（２４）上で立ち上ったり座ったりする子供を担持するのに好適なものであること、を特徴とする請求項７から１１のいずれか１項に記載の輸送アセンブリ。
【請求項１３】
前記アクセサリ（１２０；２２０）が、トートバッグ（１２５；２２５）ならびに、このトートバッグ（１２５；２２５）の底面（２２５．１）により支持された少なくとも１つの第１の固定部材（２２６）と、前記シャーシ（１２１；２２１）のプラットフォーム（２２４）により支持された少なくとも１つの第２の固定用部材（２２７）で構成され、第１および第２の固定用部材の間の可逆的かつ瞬間的な協働により前記シャーシに前記トートバッグを固定するのに好適である可逆的かつ瞬間的な固定用手段を含むこと、を特徴とする請求項７から１１のいずれか１項に記載の輸送アセンブリ。
【請求項１４】
前記シャーシ（２２１）の前記プラットフォーム（２２４）が、
−  前記装置（２３）が配設される第１の長手方向端部（２２４．１）と、
−  前記第１の長手方向端部と反対側の第２の長手方向端部（２２４．２）と、
−  前記第１および第２の長手方向端部を互いに連結し、前記少なくとも１つの固定用部材（２２７）を担持する主部（２２４．３）と、
を有する細長い形状を有すること、および前記シャーシ（２２４）には、前記プラットフォームに対し横断方向に延在し前記プラットフォームの前記第２の長手方向端部（２２４．２）に配設され、枢動軸の周りで前記プラットフォーム（２２４）との関係において自由に枢動する形で具備された回転軸を有する、前記地面（２２２）上で転動するための単一の支承輪が具備されていること、を特徴とする請求項１３に記載の輸送アセンブリ。
【請求項１５】
前記トートバッグ（１２５；２２５）が、調整可能な容積の保管用小袋を形成するように変形可能である可撓性主本体（２２５．２）および、前記ベビーカー（１０）の前記フレーム（１１）と前記トートバッグの前記主本体を直接取外し可能な形で連結するために好適な連結用部材（２２５．３、２２５．４）を含むこと、を特徴とする請求項１３または１４に記載の輸送アセンブリ。